(57)【要約】【課題】より安全性の高い浴室換気乾燥暖房機を提供する。【解決手段】熱溶融材料で形成されたフランジ部２４を有し、金属ケース３に覆われた本体部２がネジ８によって一部が開口した天井パネル７にフランジ部２４を介して固定される。フランジ部２４は、本体部２を天井パネル７から分離する分離誘導手段をネジ８による固定位置に有するので、ネジ８に所定の温度以上の熱が加わったときに、フランジ部２４が軟化して天井パネル７から本体部２が分離して落下する。これにより、万一の火災時に本体部２自体に延焼してしまうことを回避することができる。【選択図】図１
2010121804.tif 000002
【特許請求の範囲】
【請求項１】
熱溶融材料で形成されたフランジ部を有し、一部が開口した設置場所に設置されて金属ケースに覆われた本体部と、
前記本体部を前記設置場所に前記フランジ部を介して固定する締結手段とを備え、
前記フランジ部は、
前記本体部を前記設置場所から分離する分離誘導手段を有することを特徴とする設備機器。
【請求項２】
前記分離誘導手段は、
前記締結手段による固定位置に設けられることを特徴とする請求項１に記載の設備機器。
【請求項３】
前記締結手段にかかる荷重は、
０．８乃至３ｋｇｆであることを特徴とする請求項１に記載の設備機器。
【請求項４】
前記フランジ部の分離誘導手段は、
３乃至６ｍｍの厚みを成すことを特徴とする請求項１に記載の設備機器。
【請求項５】
前記熱溶融材料には、
少なくとも、ＡＢＳ樹脂、ＰＥＴ樹脂、ＡＳ樹脂のうちいずれか１つを用いることを特徴とする請求項１に記載の設備機器。
【請求項６】
前記フランジ部は、
リブ補強されることを特徴とする請求項１に記載の設備機器。
【請求項７】
前記金属ケースは、
前記締結手段によって前記設置場所に固定されることを特徴とする請求項１に記載の設備機器。
【発明の詳細な説明】
【技術分野】
【０００１】
本発明は、浴室の天井に設置される浴室換気乾燥暖房機等の設備機器に関するものである。
【背景技術】
【０００２】
近年、消費生活用製品安全法が改正され、当該消費生活用製品安全法に係る製品に対して安全性の意識が高まっている。当該製品を製造・販売するメーカーはより一層安全性を持った製品の開発を行っている。
【０００３】
その製品の中で、浴室の天井に設置される浴室換気乾燥暖房機においても安全性を高めた製品が開発されている。安全策として、例えば、装置本体を金属ケースで覆うこと等が挙げられる（特許文献１参照）。
【０００４】
【特許文献１】特開２００４−１６２９５０号公報（第８図）
【発明の開示】
【発明が解決しようとする課題】
【０００５】
特許文献１に記載の多室用換気装置は、装置本体が金属ケースで覆われているので外部からの熱を遮断できる。そのため、火災時に当該装置本体まで火が及ぶことを阻止できる。しかしながら、更なる安全性を確保する必要がある。
【０００６】
そこで本発明は、装置本体に延焼してしまうことを回避できる安全性の高い設備機器を提供することを目的とする。
【課題を解決するための手段】
【０００７】
上述した課題を解決するために、本発明に係る設備機器は、熱溶融材料で形成されたフランジ部を有し、一部が開口した設置場所に設置されて金属ケースに覆われた本体部と、本体部を設置場所にフランジ部を介して固定する締結手段とを備え、フランジ部は、本体部を設置場所から分離する分離誘導手段を有することを特徴とするものである。
【０００８】
本発明に係る設備機器では、熱溶融材料で形成されたフランジ部を有し、金属ケースに覆われた本体部が締結手段によって一部が開口した設置場所にフランジ部を介して固定される。フランジ部は、本体部を設置場所から分離する分離誘導手段を有するので、締結手段に外部から所定の温度以上の熱が加わったときに、当該フランジ部が軟化して本体部が設置場所から分離する。
【発明の効果】
【０００９】
本発明に係る設備機器によれば、外部から所定の温度以上の熱が当該設備機器に加わっても、本体部が設置場所から落下するので、本体部自体に延焼してしまうことを回避することができる。これにより、安全性の高い設備機器を提供することができる。
【発明を実施するための最良の形態】
【００１０】
以下、図面を参照して、本発明に係る設備機器の一例として浴室換気乾燥暖房機について説明する。
【００１１】
＜第１の実施の形態＞  
［浴室換気乾燥暖房機１の構成例］  
図１は、実施の形態に係る浴室換気乾燥暖房機１の構成例を示す断面図である。図１に示すように、浴室換気乾燥暖房機１は、熱溶融材料で形成されたフランジ部２４を有する本体部２と、本体部２の設置場所である天井パネル７にフランジ部２４を介して固定する締結手段であるネジ８とで構成される。本体部２は、不燃性の外囲器である金属ケース３に覆われている。また、本体部２は、ファンモータ２０Ｍに回転駆動されるファン２０Ｆ、ヒータ２０Ｈ及びファンケースを構成する本体シャーシ２１を備える。
【００１２】
本体部２には、ファン２０Ｆの下側に吸込口２２ａが設けられ、ファン２０Ｆによる空気の吹出方向に沿った当該本体部２の下側に吹出口２２ｂが設けられ、ファン２０Ｆによる空気の排気方向に沿った当該本体部２の側面に排気口２２ｃが設けられる。
【００１３】
本体部２は、吹出口２２ｂと排気口２２ｃとの間で風路を切り替える風路切替ダンパ２３を備える。風路切替ダンパ２３は、当該風路切替ダンパ２３に接続されたダンパモータ２６によって吹出口２２ｂと排気口２２ｃの開閉動作を行い風路を切り替える。浴室換気乾燥暖房機１は、風路切替ダンパ２３を図１の実線で示すように排気口２２ｃを閉じる位置（循環位置）にすると、吹出口２２ｂが開いて吸込口２２ａから吹出口２２ｂへ連通した風路（循環風路）が形成される。また、浴室換気乾燥暖房機１は、風路切替ダンパ２３を図１の一点鎖線で示すように吹出口２２ｂを閉じる位置（換気位置）にすると、排気口２２ｃが開いて吸込口２２ａから排気口２２ｃへ連通した風路（換気風路）が形成される。更に、浴室換気乾燥暖房機１は、風路切替ダンパ２３を図１の二点鎖線で示すように循環位置と換気位置との間の位置（循環換気位置）にすると、吹出口２２ｂと排気口２２ｃの双方が開いて循環風路と換気風路とが形成される。
【００１４】
吹出口２２ｂにはヒータ２０Ｈが設けられる。ヒータ２０Ｈには、例えば、周囲の温度によって発熱量を制御するＰＴＣ（Positive Temperature Coefficient）ヒータが用いられる。風路切替ダンパ２３を循環位置又は循環換気位置にして、ファンモータ２０Ｍを駆動してファン２０Ｆを回転させると共に、ヒータ２０Ｈに通電して当該ヒータ２０Ｈを加熱することで吹出口２２ｂを通過する空気が温められて吹出口２２ｂから温かい温風が吹き出されようになされる。
【００１５】
本体シャーシ２１は熱溶融材料で形成されている。その熱溶融材料には、ＡＢＳ樹脂、ＰＥＴ樹脂、ＡＳ樹脂等の樹脂材料や、低融点の金属材料等が用いられる。本体シャーシ２１は、下端の周縁から外側に突出するフランジ部２４を備える。
【００１６】
フランジ部２４には、ネジ８が通る孔が設けられる。この孔と天井パネル７に設けられる孔とを重ね合わせてネジ８を通す。ネジ８の先端部を天井裏から取付金具１０で締結することで、本体部２が天井パネル７に固定される。ネジ８が通る孔が設けられている箇所を固定位置とする。
【００１７】
フランジ部２４は、本体部２を天井パネル７から分離する分離誘導形状を固定位置に有している。分離誘導形状は、分離誘導手段の一例である。分離誘導形状は、例えば、フランジ部２４を薄肉形状にしたものであり、その厚みは３〜６ｍｍを成している。外部から所定の温度（融点）以上の熱が固定位置にあるネジ８からフランジ部２４に伝わるので、分離誘導形状は、フランジ部２４が所定の温度（融点）以上になるとネジ８の頭部に接している薄肉形状のフランジ部２４が溶け出して本体部２を天井パネル７から分離するようになされる。
【００１８】
また、本体シャーシ２１は、フランジ部２４の上面にアルミテープ１１を備える。アルミテープ１１は金属箔による断熱部材の一例で、本例では、非鉄金属であるアルミニウム箔の裏面に粘着材を塗布して構成される。アルミテープ１１は、浴室換気乾燥暖房機１を天井パネル７に形成された開口部９に取り付けたときに、開口部９に露出するフランジ部２４の上面の内周側に沿った所定の範囲に、全周にわたって貼り付けられる。
【００１９】
ネジ８は、熱伝導性が良好な金属材料を用いることが望ましい。また、締結手段は、ネジに限定されるものではなく、リベットやボルト等を用いてもよい。
【００２０】
本体シャーシ２１には金属ケース３が設けられる。金属ケース３は、鉄や銅、又はそれらの合金等で構成された金属の板材で形成され、本体部２の上部及び側部を覆う形状を成している。また、金属ケース３は、排気口２２ｃの大きさに合わせて開口される。
【００２１】
浴室換気乾燥暖房機１は、金属ケース３の開口部に排気口２２ｃとつながるダクトジョイント４が取り付けられる。ダクトジョイント４は、金属ケース３と同様に鉄や銅、又はそれらの合金等で構成された金属の板材で形成される。
【００２２】
浴室換気乾燥暖房機１は、本体部２の下部にフロントパネル５が取り付けられる。フロントパネル５は、吸込口２２ａの位置に合わせて吸込口グリル５０ａが設けられ、吹出口２２ｂの位置に合わせて吹出口グリル５０ｂが設けられる。
【００２３】
浴室換気乾燥暖房機１は、金属ケース３の内部に駆動回路基板６を備える。駆動回路基板６は、本体シャーシ２１の上面に固定され、ファンモータ２０Ｍ、ヒータ２０Ｈ及びダンパモータ２６等を駆動する回路素子が実装される。
【００２４】
［浴室換気乾燥暖房機１の設置例］  
次に、浴室換気乾燥暖房機１の設置例について説明する。図２は、浴室換気乾燥暖房機１の要部構成例を示す断面図である。図２に示すように、浴室換気乾燥暖房機１は、天井パネル７の一部が開口した開口部９から天井裏に入れられる。本体シャーシ２１のフランジ部２４をネジ８及び取付金具１０で天井パネル７に固定することで、浴室換気乾燥暖房機１が当該天井パネル７に設置される。天井パネル７に設置された浴室換気乾燥暖房機１は、本体部２の下部にフロントパネル５が取り付けられる。
【００２５】
天井パネル７に取り付けられるフランジ部２４の上面には、アルミテープ１１が貼り付けられているが、アルミテープ１１は厚さが薄いので、天井パネル７に対する本体部２の取り付け高さに影響を及ぼすことはない。
【００２６】
［浴室換気乾燥暖房機１の動作例］  
次に、浴室換気乾燥暖房機１の動作例について説明する。浴室換気乾燥暖房機１は、ファンモータ２０Ｍが駆動してファン２０Ｆが回転駆動されると、フロントパネル５の吸込口グリル５０ａを介して吸込口２２ａから浴室内の空気を吸い込む。
【００２７】
風路切替ダンパ２３が図１の実線で示す循環位置にある場合、吸込口２２ａから吹出口２２ｂへの循環風路が形成されるので、吸込口２２ａから吸い込まれた空気は、循環風路を通り吹出口２２ｂからフロントパネル５の吹出口グリル５０ｂを介して浴室内に吹き出され、かつ、ヒータ２０Ｈが通電されて循環風路を通る空気が温められて温風が吹出口グリル５０ｂから吹き出される（暖房モード）。
【００２８】
風路切替ダンパ２３が図１の一点鎖線で示す換気位置にある場合、吸込口２２ａから排気口２２ｃへ換気通路が形成されるので、吸込口２２ａから吸い込まれた空気は、換気風路を通り排気口２２ｃから屋外へ排気される（換気モード）。
【００２９】
風路切替ダンパ２３が図１の二点鎖線で示す循環換気位置にある場合、吸込口２２ａから吹出口２２ｂへの循環風路と吸込口２２ａから排気口２２ｃへ換気通路とが形成される。そのため、吸込口２２ａから吸い込まれた空気の一部は、循環風路を通り吹出口２２ｂからフロントパネル５の吹出口グリル５０ｂを介して浴室内に吹き出され、吸込口２２ａから吸い込まれた空気の他部は、換気風路を通り排気口２２ｃから屋外へ排気される（涼風モード）。
【００３０】
また、ヒータ２０Ｈが通電される場合、循環風路を通る空気が温められて温風が吹出口グリル５０ｂから吹き出されると共に、浴室内の湯気や湿気が換気風路を通り排気される（乾燥モード）。
【００３１】
上述の風路の切替えは一例であって、風路切替ダンパ２３に限定されるものではなく、換気ファンと循環ファンとを別々に備え、それらの組み合わせにより切替る構成でもよい。
【００３２】
［浴室換気乾燥暖房機１の作用効果例］  
図２に示すように、浴室換気乾燥暖房機１は、本体部２が金属ケース３に覆われる。これにより、本体部を構成する本体シャーシ２１の熱溶融部分は、天井パネルの開口部９から天井裏に直接露出しない。
【００３３】
フランジ部２４の上面で、天井パネル７の開口部９に露出する部分には、全周にわたってアルミテープ１１が貼り付けられており、天井パネル７の開口部９にフランジ部２４の熱溶融部分は直接露出しない。
【００３４】
本体シャーシ２１を覆う金属ケース３の下端部とフランジ部２４の上面のアルミテープ１１の間には、金属ケース３の内部の本体シャーシ２１が、外部からの熱に直接晒されるような隙間が形成されない。これにより、本体部２を構成する本体シャーシ２１の熱溶融部分は、天井パネル７の開口部９から天井裏に直接露出しない。
【００３５】
建物で万一火災が発生した場合、火が浴室の天井パネル７上部の天井裏に延焼しても、浴室換気乾燥暖房機１は、本体部２が金属ケース３に覆われているので、熱溶融材料で構成される本体シャーシ２１等が発火することを防止できる。
【００３６】
また、天井パネル７に取り付けられるフランジ部２４の上面で、天井パネル７の開口部９に露出する部分には、全周にわたってアルミテープ１１が貼り付けられているので、熱溶融材料で構成される本体シャーシ２１のフランジ部２４からの発火が防止される。
【００３７】
更に、本体シャーシ２１を覆う金属ケース３の下端部とフランジ部２４の上面のアルミテープ１１の間には、金属ケース３の内部の本体シャーシ２１が、外部からの熱に直接晒されるような隙間が形成されないので、熱溶融材料で構成される本体シャーシ２１の発火が防止される。
【００３８】
図３は、浴室換気乾燥暖房機１の延焼防止効果例を示す動作説明図である。所定の固定位置に本体部２が天井パネルに固定されている状態を前提として、浴室換気乾燥暖房機１が外部からの火によって天井裏から加熱されると、天井裏に突出しているネジ８を介して本体シャーシ２１を構成しているフランジ部２４に所定の温度以上の熱が伝達される。本体部２を天井パネル７から分離する分離誘導手段を固定位置に有するフランジ部２４は伝達された熱で徐々に軟化して、図３（Ａ）に示すようにフランジ部２４が変形し、本体部２が徐々に下方へ下がっていく。さらにネジ８に熱が加えられ続けると、ネジ８から伝わる熱によってフランジ部２４は溶け、図３（Ｂ）に示すように、本体部２がネジ８から抜け、天井パネル７から本体部２が分離して落下する。
【００３９】
これにより、外部からの熱が浴室換気乾燥暖房機１に加わっても、当該本体部２を天井パネル７から落下させるので、長時間の火災であっても本体部２自体に延焼してしまうことを回避し、本体部２の自己発火を防止できる。
【００４０】
［本体部２の落下時間とフランジ部２４の厚みとの関係例］  
図４は、本体部２の落下時間とフランジ部２４の厚みとの関係例を示すグラフである。図４は、上述のように浴室換気乾燥暖房機１を天井パネル７に設置して、当該浴室換気乾燥暖房機１にフランジ部２４の融点以上の熱を加えて本体部２が落下する時間をフランジ部２４の厚み毎及びネジ８の１本あたりにかかる荷重毎に測定したものである。外部から所定の温度以上の熱が加わらなければ、ネジ８の１本あたりにかかる荷重が、所定の荷重以上でもフランジ部２４が破壊することはないため、本体部２は天井パネル７に確実に固定される。
【００４１】
図４の黒丸の実線は、ネジ８の１本あたりにかかる荷重が０．８ｋｇｆのときを示し、白抜き菱形の破線は、ネジ８の１本あたりにかかる荷重が１．３３ｋｇｆのときを示し、黒三角の一点鎖線は、ネジ８の１本あたりにかかる荷重が３ｋｇｆのときを示している。また、フランジ部にはＡＢＳ樹脂を使用している。
【００４２】
図４に示すように、横軸をフランジ部２４の厚み、縦軸を本体部２の落下時間としたとき、フランジ部２４を厚くするほど本体部２が天井パネル７から落下するまでに時間がかかる。つまり、フランジ部２４の厚みを変えることによって、外部から所定の温度以上の熱が加わったときに、天井パネル７から本体部２が自重で落下する落下時間を制御することができる。
【００４３】
熱溶融材料であるＡＢＳ樹脂の自己発火温度を考慮すると、約８分間金属ケース３を介して外部からの火によって本体部２が加熱されても、ＡＢＳ樹脂は自己発火することがない。フランジ部２４が自己発火温度に達する前に、当該フランジ部２４が所定の温度以上になってネジ８の頭部に接している薄肉形状のフランジ部２４を溶かして本体部２を落下させることが望ましく、その落下時間を８分以下にすることが望ましい。安全性を考慮し、例えば、本体部２からネジ８に０．８〜３ｋｇｆの荷重がかかった状態で外部から所定の温度以上の熱が加わったときに、落下時間を６分以下に設定するには、分離誘導手段であるフランジ部２４の薄肉形状を３〜６ｍｍにする。
【００４４】
このように、第１の実施の形態に係る浴室換気乾燥暖房機１によれば、外部から所定の温度以上の熱が当該浴室換気乾燥暖房機１加わらない場合、本体部２は天井パネル７に確実に固定される。外部から所定の温度以上の熱が当該浴室換気乾燥暖房機１に加わった場合、本体部２が６分以下で天井パネル７から落下するようにフランジ部２４の薄肉形状が３〜６ｍｍの厚みに形成されるので、本体部２自体に延焼してしまうことを回避することができる。
【００４５】
＜第２の実施の形態＞  
本実施の形態では、金属ケース３にフランジを設けた浴室換気乾燥暖房機１について説明する。前述の実施の形態と同じ名称及び符号のものは同じ機能を有するので、その説明を省略する。
【００４６】
図５は、第２の実施の形態に係る浴室換気乾燥暖房機１の構成例を示す断面図である。図６は、浴室換気乾燥暖房機１の要部構成例を示す断面図である。図５及び図６に示すように、金属ケース３にフランジを設け、そのフランジが天井パネル７に固定される。前述の実施の形態と同様に分離誘導形状であるフランジ部２４の薄肉形状は３〜６ｍｍの厚みに形成される。外部から所定の温度以上の熱が加わらなければ、ネジ８の１本あたりにかかる荷重が所定の荷重以上でもフランジ部２４が破壊することはないので、本体部２は天井パネル７に確実に固定される。
【００４７】
図７は、浴室換気乾燥暖房機１の延焼防止効果例を示す動作説明図である。図７に示すように、所定の固定位置に本体部２が天井パネルに固定されている状態を前提として、浴室換気乾燥暖房機１が外部からの火によって天井裏から加熱されると、天井裏に突出しているネジ８を介して本体シャーシ２１を構成しているフランジ部２４に所定の温度以上の熱が伝達される。本体部２を天井パネル７から分離する分離誘導形状を固定位置に有するフランジ部２４は伝達された熱で徐々に軟化して、図７（Ａ）に示すようにフランジ部２４が変形し、本体部２が徐々に下方へ下がっていく。さらにネジ８に熱が加えられ続けると、ネジ８から伝わる熱によってフランジ部２４は溶け、図７（Ｂ）に示すように、本体部２がネジ８から抜け、天井パネル７から本体部２が分離して落下する。金属ケース３は、当該金属ケース３に設けられたフランジが天井パネル７に固定されているので、本体部２が落下しても当該金属ケースは天井パネル７に固定されたままである。
【００４８】
このように、第２の実施の形態に係る浴室換気乾燥暖房機１によれば、外部から所定の温度以上の熱が当該浴室換気乾燥暖房機１加わらない場合、本体部２は天井パネル７に確実に固定される。外部から所定の温度以上の熱が浴室換気乾燥暖房機１に加わった場合、本体部２が６分以下で天井パネル７から落下するようにフランジ部２４の薄肉形状が３〜６ｍｍの厚みに形成されるので、本体部２自体に延焼してしまうことを回避し、本体部２の自己発火を防止できる。また、本体部２が落下した後も金属ケース３が天井パネル７に固定されているので、浴室まで火が及ぶことがない。
【実施例１】
【００４９】
本実施例では、厚みが３〜６ｍｍの分離誘導形状を有するフランジ部を備えた浴室換気乾燥暖房機１について説明する。前述の実施の形態と同じ名称及び符号のものは同じ機能を有するので、その説明を省略する。
【００５０】
図８は、第１の実施例に係る浴室換気乾燥暖房機１の要部構成例（その１）を示す断面図である。図８に示すように、フランジ部２４Ａには、天井パネル７の開口部９付近においてフランジ部２４Ａの厚みが３〜６ｍｍになるように分離誘導形状である薄肉部２５Ａが形成される。外部から所定の温度以上の熱が加わらなければ、ネジ８の１本あたりにかかる荷重が所定の荷重以上でもフランジ部２４Ａが破壊することはないので、本体部２は天井パネル７に確実に固定される。フランジ部２４Ａの所定の箇所に薄肉部２５Ａを設けるので、フランジ部２４Ａは、外部から所定の温度以上の熱が加わったときに、図６に示したフランジ部２４よりも、早く軟化しはじめる。
【００５１】
図９（Ａ）は、浴室換気乾燥暖房機１の要部構成例（その２）を示す断面図であり、図９（Ｂ）はその下面図である。図９（Ａ），（Ｂ）に示すように、フランジ部２４Ｂには分離誘導形状である凹部２５Ｂが設けられる。凹部２５Ｂは、フランジ部２４Ｂに挿入されているネジ８の周囲を囲うように、天井パネル７と接している面とその反対側の面とに形成される。凹部２５Ｂの厚みは３〜６ｍｍになっている。外部から所定の温度以上の熱が加わらなければ、ネジ８の１本あたりにかかる荷重が所定の荷重以上でもフランジ部２４Ｂが破壊することはないので、本体部２は天井パネル７に確実に固定される。フランジ部２４Ｂの所定の箇所に凹部２５Ｂを設けるので、フランジ部２４Ｂは、外部から所定の温度以上熱が加わったときに、図６に示したフランジ部２４よりも、早く軟化しはじめる。
【００５２】
図１０は、浴室換気乾燥暖房機１の要部構成例（その３）を示す断面図である。図１０に示すように、フランジ部２４Ｃには分離誘導形状である気泡２５Ｃが設けられる。気泡２５Ｃは、フランジ部２４Ｃ内であってネジ８近傍に形成される。この気泡２５Ｃの作製方法は、例えば、フランジ部２４Ｃの成形前に所定の温度で気化するビーズを当該フランジ部２４Ｃに挿入しておくことで、所定の温度に達したらビーズが気化して当該気泡２５Ｃが作製される。気泡２５Ｃ付近のフランジ部２４Ｃの厚みは３〜６ｍｍになっている。外部から所定の温度以上の熱が加わらなければ、ネジ８の１本あたりにかかる荷重が所定の荷重以上でもフランジ部２４Ｃが破壊することはないので、本体部２は天井パネル７に確実に固定される。フランジ部２４Ｃの所定の箇所に気泡２５Ｃを設けるので、フランジ部２４Ｃは、外部から所定の温度以上の熱が加わったときに、図６に示したフランジ部２４よりも、早く軟化しはじめる。
【００５３】
このように、第１の実施例に係る浴室換気乾燥暖房機１によれば、外部から所定の温度以上の熱が当該浴室換気乾燥暖房機１加わらない場合、本体部２は天井パネル７に確実に固定される。外部から所定の温度以上の熱が浴室換気乾燥暖房機１に加わった場合、フランジ部２４Ａ，２４Ｂ，２４Ｃは分離誘導形状（薄肉部２５Ａ，凹部２５Ｂ，気泡２５Ｃ）を有するので、本体部２を天井パネル７からより早く落下させることができる。
【実施例２】
【００５４】
本実施例では、フランジ部に孔を穿接した浴室換気乾燥暖房機１について説明する。前述の実施の形態と同じ名称及び符号のものは同じ機能を有するので、その説明を省略する。
【００５５】
図１１（Ａ）は、第２の実施例に係る浴室換気乾燥暖房機１の要部構成例を示す断面図であり、図１１（Ｂ）は、その下面図である。図８（Ａ），（Ｂ）に示すように、フランジ部２４Ｄには分離誘導形状である孔部２５Ｄが設けられる。
【００５６】
孔部２５Ｄは、フランジ部２４Ｄを貫通し、当該フランジ部２４Ｄに挿入されているネジ８の周囲に形成される。外部から所定の温度以上の熱が加わらなければ、ネジ８の１本あたりにかかる荷重が所定の荷重以上でもフランジ部２４Ｄが破壊することはないので、本体部２は天井パネル７に確実に固定される。フランジ部２４Ｄの所定の箇所に孔部２５Ｄを設けるので、フランジ部２４Ｄは、外部から所定の温度以上の熱が加わったときに、図６に示したフランジ部２４よりも、早く軟化しはじめる。
【００５７】
このように、第２の実施例に係る浴室換気乾燥暖房機１によれば、外部から所定の温度以上の熱が当該浴室換気乾燥暖房機１加わらない場合、本体部２は天井パネル７に確実に固定される。外部から所定の温度以上の熱が浴室換気乾燥暖房機１に加わった場合、フランジ部２４Ｄは分離誘導形状である孔部２５Ｄを有するので、本体部２を天井パネル７からより早く落下させることができる。
【実施例３】
【００５８】
本実施例では、フランジ部に外部からの熱を伝わり易くして当該フランジ部をより早く軟化させるようにした浴室換気乾燥暖房機１について説明する。前述の実施の形態と同じ名称及び符号のものは同じ機能を有するので、その説明を省略する。
【００５９】
図１２は、第３の実施例に係る浴室換気乾燥暖房機１の要部構成例（その１）を示す断面図である。図１２に示すように、フランジ部２４Ｅは、天井パネル７とネジ８との間に突起部２５Ｅを有して、浴室換気乾燥暖房機１が天井パネル７に設置されている。外部から所定の温度以上の熱が加わらなければ、ネジ８の１本あたりにかかる荷重が所定の荷重以上でもフランジ部２４Ｅが破壊することはないので、本体部２は天井パネル７に確実に固定される。
【００６０】
突起部２５Ｅは、外部から所定の温度以上の熱が浴室換気乾燥暖房機１に加わるときに、ネジ８に熱が伝達されると共に、天井パネル７の開口部９から突起部２５Ｅにも熱が伝達される。これにより、フランジ部２４Ｅは、外部から所定の温度以上の熱が加わったときに、ネジ８と突起部２５Ｅとの双方から熱が当該フランジ部２４Ｅに伝わるため、図６に示したフランジ部２４よりも、早く軟化しはじめる。
【００６１】
図１３は、浴室換気乾燥暖房機１の要部構成例（その２）を示す断面図である。図１３に示すように、フランジ部２４Ｆには、当該フランジ部２４Ｆの内部であってネジ８に接するようにインサートリング２５Ｆが設けられて、浴室換気乾燥暖房機１が天井パネル７に設置されている。フランジ部２４Ｆの厚みは３〜６ｍｍになっている。外部から所定の温度以上の熱が加わらなければ、ネジ８の１本あたりにかかる荷重が所定の荷重以上でもフランジ部２４Ｆが破壊することはないので、本体部２は天井パネル７に確実に固定される。
【００６２】
インサートリング２５Ｆは熱伝導の良好な金属で形成され、例えば、銅、鉄、アルミ等が用いられる。インサートリング２５Ｆは、ネジ８と接しているため当該ネジ８から熱が伝達される。フランジ部２４Ｆの内部に接しているネジ８の面積とインサートリング２５Ｆの面積との和が実施の形態に示したフランジ部２４の内部に接しているネジ８の面積よりも大きいので、フランジ部２４Ｆにはより熱が伝わり易くなる。
【００６３】
図１４は、浴室換気乾燥暖房機１の要部構成例（その３）を示す断面図である。図１４に示すように、金属ケース３の先端部２５Ｇがフランジ部２４Ｇにくい込むように接して、浴室換気乾燥暖房機１が天井パネル７に設置されている。フランジ部２４Ｇの厚みは３〜６ｍｍになっている。外部から所定の温度以上の熱が加わらなければ、ネジ８の１本あたりにかかる荷重が所定の荷重以上でもフランジ部２４Ｇが破壊することはないので、本体部２は天井パネル７に確実に固定される。
【００６４】
フランジ部２４Ｇは、外部から所定の温度以上の熱が加わったときに、先端部２５Ｇとネジ８との双方から熱が当該フランジ部２４Ｇに伝わるため、図６に示したフランジ部２４よりも、早く軟化しはじめる。
【００６５】
図１５は、浴室換気乾燥暖房機１の要部構成例（その４）を示す断面図である。図１５に示すように、ネジ８Ｈには根太部２５Ｈが設けられており、フランジ部２４Ｈの内部と接する面積が実施の形態に示したフランジ部２４の内部に接しているネジ８の面積よりも大きい。フランジ部２４Ｈの厚みは３〜６ｍｍになっている。外部から所定の温度以上の熱が加わらなければ、ネジ８の１本あたりにかかる荷重が所定の荷重以上でもフランジ部２４Ｈが破壊することはないので、本体部２は天井パネル７に確実に固定される。
【００６６】
フランジ部２４Ｈの内部と接する面積は、フランジ部２４の内部に接しているネジ８の面積よりも大きいので、当該フランジ部２４Ｈにはより熱が伝わり易くなる。
【００６７】
このように、第３の実施例に係る浴室換気乾燥暖房機１によれば、外部から所定の温度以上の熱が当該浴室換気乾燥暖房機１加わらない場合、本体部２は天井パネル７に確実に固定される。外部から所定の温度以上の熱が浴室換気乾燥暖房機１に加わった場合、フランジ部２４Ｅ，２４Ｆ，２４Ｇ，２４Ｈをより早く軟化させることができるので、本体部２が天井パネル７からより早く落下させることができる。
【実施例４】
【００６８】
本実施例では、フランジ部の厚みを３〜６ｍｍに薄くしても本体部２の構造強度を強化するために補強リブを設けた分離誘導形状を有する浴室換気乾燥暖房機１について説明する。前述の実施の形態と同じ名称及び符号のものは同じ機能を有するので、その説明を省略する。
【００６９】
図１６（Ａ）は、第４の実施例に係る補強前の分離誘導形状の構成例を示す断面図であり、図１６（Ｂ）は、その平面図である。図１６（Ａ）に示すように、ネジを通す孔８１付近のフランジ部２４の厚みは均一になっている。外部から所定の温度以上の熱が加わらなければ、ネジ８の１本あたりにかかる荷重が所定の荷重以上でもフランジ部２４Ｉが破壊することはない。
【００７０】
図１７（Ａ）は、補強後の分離誘導形状の構成例を示す断面図であり、図１７（Ｂ）は、その平面図である。図１７（Ａ）に示すように、ネジを通す孔８１付近のフランジ部２４Ｉはその周囲よりも薄くなっており、その厚みは３〜６ｍｍである。孔８１付近のフランジ部２４Ｉが薄くなっているために、外部から所定の温度以上の熱が加わったときには、早く当該フランジ部２４Ｉが軟化して浴室換気乾燥暖房機１を天井パネル７から早く落下させることができる。また、図１７（Ｂ）に示すように、フランジ部２４Ｉは、補強リブ２５Ｉを設けることで本体部２の構造強度がさらに強化されている。外部から所定の温度以上の熱が加わらなければ、ネジ８の１本あたりにかかる荷重が所定の荷重以上でもフランジ部２４Ｉが確実に破壊することはない。
【００７１】
このように、第４の実施例に係る浴室換気乾燥暖房機１によれば、フランジ部２４Ｉに補強リブ２５Ｉを設けているので、当該フランジ部２４Ｉの厚みを３〜６ｍｍに薄くしても本体部２を確実に支持することができる。
【産業上の利用可能性】
【００７２】
本発明は、熱源を有した空調装置等の設備機器に適用可能である。
【図面の簡単な説明】
【００７３】
【図１】第１の実施の形態に係る浴室換気乾燥暖房機１の構成例を示す断面図である。
【図２】浴室換気乾燥暖房機１の要部構成例を示す断面図である。
【図３】浴室換気乾燥暖房機１の延焼防止効果例を示す動作説明図である。
【図４】本体部２の落下時間とフランジ部２４の厚みとの関係例を示すグラフである。
【図５】第２の実施の形態に係る浴室換気乾燥暖房機１の構成例を示す断面図である。
【図６】浴室換気乾燥暖房機１の要部構成例を示す断面図である。
【図７】浴室換気乾燥暖房機１の延焼防止効果例を示す動作説明図である。
【図８】第１の実施例に係る浴室換気乾燥暖房機１の要部構成例（その１）を示す断面図である。
【図９】（Ａ）は、浴室換気乾燥暖房機１の要部構成例（その２）を示す断面図である。（Ｂ）はその下面図である。
【図１０】浴室換気乾燥暖房機１の要部構成例（その３）を示す断面図である。
【図１１】（Ａ）は、第２の実施例に係る浴室換気乾燥暖房機１の要部構成例を示す断面図である。（Ｂ）は、その下面図である。
【図１２】第３の実施例に係る浴室換気乾燥暖房機１の要部構成例（その１）を示す断面図である。
【図１３】浴室換気乾燥暖房機１の要部構成例（その２）を示す断面図である。
【図１４】浴室換気乾燥暖房機１の要部構成例（その３）を示す断面図である。
【図１５】浴室換気乾燥暖房機１の要部構成例（その４）を示す断面図である。
【図１６】（Ａ）は、第４の実施例に係る補強前の分離誘導形状の構成例を示す断面図である。（Ｂ）は、その平面図である。
【図１７】（Ａ）は、補強後の分離誘導形状の構成例を示す断面図である。（Ｂ）は、その平面図である。
【符号の説明】
【００７４】
１・・・浴室換気乾燥暖房機、２・・・本体部、３・・・金属ケース、４・・・ダクトジョイント、５・・・フロントパネル、６・・・駆動回路基板、７・・・天井パネル、８，８Ｈ・・・ネジ、９・・・開口部、１０・・・取付金具、１１・・・アルミテープ、２０Ｆ・・・ファン、２０Ｈ・・・ヒータ、２０Ｍ・・・ファンモータ、２１・・・本体シャーシ、２２ａ・・・吸込口、２２ｂ・・・吹出口、２２ｃ・・・排気口、２３・・・風路切替ダンパ、２４，２４Ａ，２４Ｂ，２４Ｃ，２４Ｄ，２４Ｅ，２４Ｆ，２４Ｇ，２４Ｈ，２４Ｉ・・・フランジ部、２５Ａ・・・薄肉部、２５Ｂ・・・凹部、２５Ｃ・・・気泡、２５Ｄ・・・孔部、２５Ｅ・・・突起部、２５Ｆ・・・インサートリング、２５Ｇ・・・先端部、２５Ｈ・・・根太部、２５Ｉ・・・補強リブ、２６・・・ダンパモータ、５０ａ・・・吸込口グリル、５０ｂ・・・吹出口グリル、８１・・・孔
【図１】
2010121804.tif 000003
【図２】
2010121804.tif 000004
【図３】
2010121804.tif 000005
【図４】
2010121804.tif 000006
【図５】
2010121804.tif 000007
【図６】
2010121804.tif 000008
【図７】
2010121804.tif 000009
【図８】
2010121804.tif 000010
【図９】
2010121804.tif 000011
【図１０】
2010121804.tif 000012
【図１１】
2010121804.tif 000013
【図１２】
2010121804.tif 000014
【図１３】
2010121804.tif 000015
【図１４】
2010121804.tif 000016
【図１５】
2010121804.tif 000017
【図１６】
2010121804.tif 000018
【図１７】
2010121804.tif 000019